(57)【要約】【課題】ワイヤ等の挿入による不正行為を効率よく防止することが可能な遊技機を提供すること。【解決手段】電子部品を内部に有する本体を備え、本体の内部に、本体の外部から電子部品に至る連続した空間からなる経路が存在する遊技機であって、経路の内部又は経路に隣接する位置に、１個又は複数個の磁石が設置されていることを特徴とする遊技機。【選択図】図１
2009005913.tif 000002
【特許請求の範囲】
【請求項１】
電子部品を内部に有する本体を備え、前記本体の内部に、前記本体の外部から前記電子部品に至る連続した空間からなる経路が存在する遊技機であって、
前記経路の内部又は前記経路に隣接する位置に、１個又は複数個の磁石が設置されていることを特徴とする遊技機。
【請求項２】
前記本体の前面に開閉可能に設けられた扉体と、
遊技者によって遊技媒体が投入される投入口と、
遊技媒体が払い出される払出口とを備え、
前記経路は、前記本体と前記扉体との隙間、前記投入口又は前記払出口を介して、前記本体の外部から前記電子部品に至ることを特徴とする請求項１に記載の遊技機。
【請求項３】
前記電子部品は、物理的な接触若しくは通過を検出して所定の信号を出力するセンサ、又は、物理的な操作を検出して所定の信号を出力するスイッチであることを特徴とする請求項１又は２に記載の遊技機。
【発明の詳細な説明】
【技術分野】
【０００１】
本発明は、例えば、パチスロ遊技装置、スロットマシン、パチンコ遊技装置等の遊技機に関する。
【背景技術】
【０００２】
パチスロ遊技装置、スロットマシン、パチンコ遊技装置等の遊技機は、本体内に、物理的な接触若しくは通過を検出するセンサ（例えば、メダルセンサ、始動口センサ）、物理的な操作を検出するスイッチ（例えば、設定スイッチ）等の電子部品が設けられており、本体に設置された制御部は、これらの電子部品から出力される各種の信号に基づいて、遊技を進行させる処理を行う。このように、遊技機における遊技は、電子部品から出力される各種の信号に基づいて進行するため、この電子部品に対して不正な操作を行い、電子部品を誤動作させることにより、利益を得ようとする不正行為が行われることがあった。そのような不正行為には、ワイヤ等を本体内に挿入し、電子部品にワイヤ等を検出させたり、電子部品をワイヤ等で操作したりする不正行為があった。そのようなワイヤ等による不正行為を防止するために、種々の工夫がなされている（例えば、特許文献１〜１９参照）。
【０００３】
特許文献１〜１９に記載された不正行為の対策は、（Ａ）対象の電子部品に対するアクセスの遮断、（Ｂ）対象の電子部品に対するアクセスが正規のアクセスであるか否かの認証、（Ｃ）不正アクセスの検出及び外部への通知の３パターンに大別される。
上記（Ａ）は、対象に至る経路中に障害となる部材を配置することにより実行されるものである。上記（Ｂ）は、対象の電子部品にアクセスがあったときに、その電子部品とは別の電子部品によって、そのアクセスが正規の態様であるかを認証するものである。上記（Ｃ）は、対象に至る経路中に不正アクセスを検知するセンサ等を設け、そのセンサ等からの出力信号を外部に出力することにより、店員への通報等を行うものである。
【０００４】
【特許文献１】特開平６−３１０２６号公報
【特許文献２】特開２０００−２７１３１７号公報
【特許文献３】登録実用新案第３０７１９２５号公報
【特許文献４】特開２００１−３２１４８５号公報
【特許文献５】特開２００３−７０９６８号公報
【特許文献６】特開２００４−１４１１８２号公報
【特許文献７】特開２００４−１４１４１０号公報
【特許文献８】特開２００４−２０９０８０号公報
【特許文献９】特開２００４−２０９０８１号公報
【特許文献１０】特開２００４−２３６６９３号公報
【特許文献１１】特開２００５−２１４３８号公報
【特許文献１２】特開２００５−１１８３０１号公報
【特許文献１３】特開２００５−１３１２５６号公報
【特許文献１４】特開２００５−２３７４５９号公報
【特許文献１５】特開２００５−２９６４０６号公報
【特許文献１６】特開２００６−８１５６１号公報
【特許文献１７】特開２００６−９５０４９号公報
【特許文献１８】特開２００６−１５８８５０号公報
【特許文献１９】特開２００６−１８０９８６号公報
【発明の開示】
【発明が解決しようとする課題】
【０００５】
しかしながら、上記（Ａ）〜（Ｃ）には、次のような問題があった。
すなわち、遊技機では、前扉の開閉や遊技媒体（例えば、メダルや遊技球）の出入が必ず行わなければならないため、上記（Ａ）によって、完全にアクセスの遮断を行うことは極めて難しいという問題があった。また、例えば、設定スイッチにカバーを設けるというように、アクセスの遮断に注力すると、逆に、当該電子部品の保守・点検や設定変更等が煩雑になってしまうという問題があった。遊技店には、多くの遊技機が設置されているため、１台あたりの点検や設定変更に要する時間が長くなってしまうと、遊技店側にとってもデメリットが大きく、現実的に採用することができないという問題があった。
【０００６】
また、上記（Ｂ）は、アクセスが不正アクセスであるか否かを認証するために、別の電子部品が必要となるため、電子部品の点数が多くなり、コストが嵩むという問題があった。また、待機電力が必要になるため、省電力の観点からも問題があった。更に、その別の部品に対する不正アクセスが行われる可能性が新たに生じるおそれもあった。
【０００７】
また、上記（Ｃ）は、電子部品の点数が多くなり、コストが嵩むという問題があり、また待機電力が必要になるため、省電力の観点からも問題があった。また、正規の保守・点検作業が不正アクセスとして検出され、外部へ通報されるおそれがあった。
【０００８】
さらに、上記（Ａ）〜（Ｃ）は、不正行為を「行うことができない」ようにすることで、不正行為を防止しようとするものであるが、このような防止方法を採った場合、不正行為者は、新たな不正行為を編み出すものであり、結局、所謂いたちごっこになってしまうという問題があった。
【０００９】
本発明は、上述した課題に鑑みてなされたものであり、その目的は、ワイヤ等の挿入による不正行為を効率よく防止することが可能な遊技機を提供することにある。
【課題を解決するための手段】
【００１０】
以上のような目的を達成するために、本発明は、以下のようなものを提供する。
（１）電子部品を内部に有する本体を備え、前記本体の内部に、前記本体の外部から前記電子部品に至る連続した空間からなる経路が存在する遊技機であって、
前記経路の内部又は前記経路に隣接する位置に、１個又は複数個の磁石が設置されていることを特徴とする遊技機。
【００１１】
（１）の発明によれば、電子部品（例えば、メダルセンサや設定スイッチ、始動口センサ）に至る連続した空間からなる経路の内部又はその経路に隣接する位置に、１個又は複数個の磁石が設置されているため、金属製のワイヤ、板状体、棒状体等を経路に挿入して操作し難くすることができる。これにより、不正行為に時間をかけさせるか又は失敗させることができ、店員の発見を促したり、行為者に諦めさせたりすることができる。ここで重要な点は、本発明が不正行為を「行うことができない」ようにするのではなく、「行い難くする」ことを主眼としていることにある。これにより、いたちごっことなることを防止するものである。その結果、不正行為防止対策の開発費を抑えることができる。また、電子部品までの経路を部材等で遮断しないため、保守・点検の効率を低下させてしまうおそれがない。さらに、磁石によって不正行為を防止するため、待機電力が不要である。その結果、ワイヤ等の挿入による不正行為を効率よく防止することができる。
【００１２】
本発明は、さらに以下の構成を備えることが望ましい。
（２）  前記本体の前面に開閉可能に設けられた扉体と、
遊技者によって遊技媒体が投入される投入口と、
遊技媒体が払い出される払出口とを備え、
前記経路は、前記本体と前記扉体との隙間、前記投入口又は前記払出口を介して、前記本体の外部から前記電子部品に至ることを特徴とする。
【００１３】
（２）の発明によれば、本体と扉体との隙間、投入口又は払出口を介して、本体の外部から電子部品に至る経路の内部又は隣接する位置に、磁石が設けられることになる。
遊技機は、通常、保守点検や設定変更等のため、扉体を本体に対して開閉自在に設けておく必要があり、また遊技媒体の投入又は払出のために、遊技機には、投入口又は払出口が設けられる必要がある。そのため、悪意のある遊技者にとっては、このような隙間や開口を狙い易いという問題があった。（２）の発明では、悪意のある遊技者のターゲットになり易い隙間や開口からの経路に磁石が設けられているため、そのような隙間や開口からの不正なアクセスを効率よく防止することができる。
【００１４】
本発明は、さらに以下の構成を備えることも望ましい。
（３）前記電子部品は、物理的な接触若しくは通過を検出して所定の信号を出力するセンサ、又は、物理的な操作を検出して所定の信号を出力するスイッチであることを特徴とする。
【００１５】
（３）の発明によれば、センサ又はスイッチに至る経路の内部又は隣接する位置に、磁石が設けられることになる。本体に設けられるセンサ又はスイッチは、通常、遊技の結果に影響を及ぼすものであるから、このようなセンサ又はスイッチに至る経路に磁石を設置することにより、不正アクセスを効率よく防止することができる。
【発明の効果】
【００１６】
本発明の遊技機によれば、ワイヤ等の挿入による不正行為を効率よく防止することができる。
【発明を実施するための最良の形態】
【００１７】
［第１実施形態］
図１は、第１実施形態に係るパチスロ遊技装置を模式的に示す斜視図である。なお、図１は、パチスロ遊技装置の本体に対して扉体が開放された状態を示す斜視図である。
パチスロ遊技装置１は、その外側の筐体部分を構成する本体１０と、その本体１０の前開口部一側において、本体１０の枠内の上下部に夫々配置された開閉ヒンジ機構５０によって開閉可能に装着された扉体３０とを備えている。
【００１８】
本体１０は、左右の両側枠体１１、１２、底枠板１３、上枠板１４及び背面板１５を備え、前方に開口する方形箱形状に形成され、その背面板１５の内壁面の上部高さ位置には、回胴回転装置２０が装着されている。回胴回転装置２０は、複数（例えば３つ）の回胴体２１（回転リール、回転ドラム等）を並列状に備えている。これら複数の回胴体２１の外周面には、夫々複数の図柄が表示されている。また、本体１０の底枠板１３上には、複数の回胴体２１の図柄が当たり図柄の組合せとなって停止したときにコインを払い出すためのコイン払出装置２３が設置されている。
【００１９】
また、本体１０の一方の側枠板１１の内壁面には、複数の回胴体２１の駆動源としてのステッピングモータや、コイン払出装置２３の払出モータ等を作動制御する制御基板が格納された制御基板ボックス２４が設置されている。さらに、本体１０内の左奥には、設定値の設定を行うための設定スイッチ、電源スイッチ、キースイッチ等を備えた電源装置６０が設置されている。制御基板ボックス２４、電源装置６０は、本発明における電子部品に相当するものである。
【００２０】
一方、扉体３０の所定位置には、回胴回転装置２０の複数の回胴体２１の図柄を透視可能とする表示窓３１が形成されるとともに、表示窓３１の上方には、遊技演出等に関する図柄を変動表示するための表示面を前面に有する表示装置（例えば液晶パネル装置）３２が配設されている。また、扉体３０の前側には、コイン投入口、スタートレバー、ストップボタン、コイン受皿、スピーカ等が配設されている。３８は、扉体３０の開閉機構である。
【００２１】
左右の両側枠体１１、１２、底枠板１３及び上枠板１４の扉体３０側の内壁周面には、周面に沿って所定間隔を空けて、複数の磁石１６が配置されている。そのため、悪意のある遊技者が、扉体３０と本体１０との隙間にワイヤ等を挿入し、電子部品である制御基板ボックス２４又は電源装置６０にアクセスしようとしても、ワイヤ等が磁石１６に引き寄せられ、精密な動作を行うことが困難になる。従って、不正行為（所謂ゴト行為）を行い難くすることができ、結果として不正行為を防止することができる。
【００２２】
本体１０内の空間であって、本体１０の外部から本体１０及び扉体３０の隙間を介して制御基板ボックス２４又は電源装置６０に至る連続した空間は、本発明における経路に相当する。電源装置６０が備える設定スイッチ、電源スイッチ、キースイッチは、物理的な操作を検出して所定の信号を出力するスイッチである。
【００２３】
本発明において、電子部品は、物理的な操作を検出して所定の信号を出力するスイッチであることが望ましい。不正行為が行われた場合に大きな影響が生じるスイッチに至る経路に、磁石を設置し、アクセスを困難にすることにより、効果的に不正行為を防止し得るからである。
【００２４】
また、本発明においては、電子部品は、制御基板ボックス２４のように、図柄の変動表示及び停止表示に関する処理若しくは制御を行うもの、又は、コインの払出に関する処理若しくは制御を行うものであることが望ましい。これらは、不正行為が行われた場合に大きな影響が生じる装置であるため、これらの装置に至る経路に、磁石を設置し、アクセスを困難にすることにより、効果的に不正行為を防止し得るからである。
【００２５】
第１実施形態では、本体の内壁面の扉体側周縁に磁石が設けられている場合について説明したが、扉体の内壁面の本体側周縁に磁石が設けられていてもよく、両方に磁石が設けられていてもよい。
また、本発明では、本実施形態のように、周縁に沿って所定間隔を空けて複数の磁石が配置されてもよく、周縁に沿って全周を覆うように磁石が配置されてもよいが、所定間隔を空けて複数の磁石が配置されることが望ましい。ワイヤ等に対する引力が相対的に大きい箇所と、小さい箇所とを形成することができるため、ワイヤ等に対する引力の位置的なばらつきによって、ワイヤ等の精密な操作をより困難にすることができるからである。
このようにする場合、周縁のうち、磁石により覆われる長さが、覆われない長さより、長いことが望ましい。より効率的にワイヤ等の精密な操作を困難にすることができるからである。
【００２６】
［第２実施形態］
図２は、第２実施形態に係るパチスロ遊技装置におけるコイン払出経路を模式的に示す斜視図である。
パチスロ遊技装置の本体（図示せず）には、コイン払出装置１００が設置されている。パチスロ遊技装置の扉体（図示せず）側には、コイン払出口１０６と、流下路１０７と、矩形状の連絡口１０３とを有するコイン枠体１０５が設けられている。
コイン払出装置１００から連絡口１０３へ向けて連絡路１０４が設けられており、連絡路１０４の側壁の一部には、コインＣを検出するための検出片１０２が設けられている。連絡口１０３近傍における連絡路１０４の両側壁には、磁石１０１が設けられている。
【００２７】
コイン払出装置１００から払い出されたコインＣは、連絡路１０４を通過し、検出片１０２によって検出され、磁石１０１の側方を通過し、連絡口１０３に至る。コインＣは、連絡口１０３を通過し、流下路１０７内を流下し、コイン払出口１０６から排出される。
検出片１０２は、払い出されるコインＣの数を計数するためのものであり、コインＣを検出した際に所定の信号を出力する。
【００２８】
検出片１０２は、本発明における電子部品に相当する。コイン払出装置１００は、コインの払出に関する処理を行うものであり、本発明における電子部品に相当する。コイン払出口１０６から流下路１０７、連絡口１０３、連絡路１０４を通過して検出片１０２又はコイン払出装置１００に至る連続した空間は、本発明における経路に相当する。
【００２９】
悪意のある遊技者が、コイン払出口１０６にワイヤ等を挿入し、電子部品である検出片１０２又はコイン払出装置１００にアクセスしようとしても、ワイヤ等が磁石１０１に引き寄せられ、精密な動作を行うことが困難になる。従って、不正行為（所謂ゴト行為）を行い難くすることができ、結果として不正行為を防止することができる。
【００３０】
第２実施形態では、連絡路１０４の側面に、電子部品である検出片１０２が設けられ、また連絡路１０４に側面に、磁石１０１が設けられている。このように、本発明において、コインの排出経路の側面に電子部品が設けられている場合には、側面に磁石を設置することが望ましい。ワイヤ等を左右に揺動させて電子部品にアクセスすることになるため、磁石によって効率よくワイヤ等を引き付けることができるからである。
【００３１】
［第３実施形態］
図３は、第３実施形態に係るパチスロ遊技装置におけるコイン払出経路を模式的に示す斜視図である。図３においては、上述した図２に示した構成要素と対応する構成要素には同一の符号を付した。
第３実施形態に係るコイン払出経路は、磁石が設けられる位置が異なる以外は、第２実施形態に係るコイン払出経路と同様である。すなわち、第３実施形態に係るコイン払出経路では、連絡口１０３近傍における連絡路１０４の上側壁には、磁石１１０が設けられている。
【００３２】
悪意のある遊技者が、コイン払出口１０６にワイヤ等を挿入し、電子部品である検出片１０２又はコイン払出装置１００にアクセスしようとしても、ワイヤ等が磁石１１０に引き寄せられ、精密な動作を行うことが困難になる。従って、不正行為（所謂ゴト行為）を行い難くすることができ、結果として不正行為を防止することができる。
【００３３】
第３実施形態では、連絡路１０３から流下路１０７に至る連絡口１０３の上側に、磁石１１０が設置されている。従って、流下路１０７に沿って下側から挿入されるワイヤ等が磁石１１０に引き寄せられ易くなる。
【００３４】
［第４実施形態］
図４は、第４実施形態に係るパチスロ遊技装置が備える電源装置を模式的に示す斜視図である。
電源装置６０は、図１に示したパチスロ遊技装置１の本体１０内に設置されている。電源装置６０の前面６１には、上から順に、設定スイッチ６６、キースイッチ６５、パイロットランプ６４、電源スイッチ６８が設けられている。
設定スイッチ６６は、設定値を設定するためのスイッチであり、本発明における電子部品に相当するものである。キースイッチ６５は、鍵穴に鍵が差し込まれた状態で設定スイッチ６６の操作が有効になるものであり、本発明における電子部品に相当するものである。また、電源スイッチ６８は、電源のオン／オフを行うためのスイッチであり、電源がオンされているときには、パイロットランプ６４が点灯する。
【００３５】
前面６１には、設定スイッチ６６の周囲を包囲するように、矩形環状の磁石７０が設置されている。そのため、悪意のある遊技者が、扉体３０と本体１０との隙間にワイヤ等を挿入し、電子部品である設定スイッチ６６にアクセスしようとしても、ワイヤ等が磁石７０に引き寄せられ、精密な動作を行うことが困難になる。従って、不正行為を行い難くすることができ、結果として不正行為を防止することができる。
【００３６】
［第５実施形態］
図５は、第５実施形態に係るパチスロ遊技装置が備える電源装置を模式的に示す斜視図である。図５においては、上述した図４に示した構成要素と対応する構成要素には同一の符号を付した。
第５実施形態に係る電源装置６０は、磁石が設けられる位置が異なる以外は、第４実施形態に係る電源装置６０と同様である。すわなち、第５実施形態に係る電源装置６０では、前面６１の電源スイッチ６８の周囲を包囲するように、矩形環状の磁石７１が設置されている。そのため、悪意のある遊技者が、扉体３０と本体１０との隙間にワイヤ等を挿入し、電子部品である電源スイッチ６８にアクセスしようとしても、ワイヤ等が磁石７１に引き寄せられ、精密な動作を行うことが困難になる。従って、不正行為を行い難くすることができ、結果として不正行為を防止することができる。
【００３７】
第４、５実施形態においては、扉体３０と本体１０との隙間から、電子部品である設定スイッチ６６又は電源スイッチ６８に至る空間が、本発明における経路に相当する。
【００３８】
第４、５実施形態においては、所定面に設けられた電子部品の周囲を覆うように、その所定面に磁石が設けられる場合について説明したが、本発明において、当該構成を採用する場合、所定面からの磁石の突出高さは、所定面からの電子部品の突出高さより高いことが望ましい。電子部品に対するアクセスをより確実に防止することができるからである。
【００３９】
また、第４実施形態では、設定スイッチ６６の周囲に磁石７０が設けられる場合について説明し、第５実施形態では、電源スイッチ６８の周囲に磁石７１が設けられる場合について説明したが、本発明は、この例に限定されるものではなく、例えば、キースイッチ６５のように、他の電子部品の周囲に磁石が設けられていてもよい。
【００４０】
［第６実施形態］
図６は、第６実施形態に係るパチスロ遊技装置の開閉部分の近傍を模式的に示す側面図である。
パチスロ遊技装置１（図示せず）は、本体１０と扉体３０とを備えている。パチスロ遊技装置１は、保守・点検や設定変更等のために扉体３０が開閉可能に構成される必要がある。そのため、扉体３０と底枠板１３との間には隙間Ｇが生じている。３８は、扉体３０の開閉機構であり、具体的には、本体１０の所定箇所に掛止し、扉体３０の閉鎖状態を保持するための掛止片である。
【００４１】
第６実施形態において、磁石８０は、掛止片３８の下側に設けられた金属片に取り付けられている。換言すると、磁石８０は、扉体３０及び底枠板１３の隙間Ｇと、掛止片３８との間の連続した空間からなる経路の内側に設置されている。
第６実施形態では、電子部品ではなく、開閉機構（掛止片）が、磁石によるアクセス防止の対象になっている。すなわち、本発明は、次のようなものであってもよい。
本体と、本体の前面に開閉可能に設けられた扉体と、上記本体と上記扉体との開閉を行うための開閉機構とを備え、上記本体及び上記扉体の隙間と、上記開閉機構との間の連続した空間からなる経路に、磁石が設けられていることを特徴とする遊技機。
このような構成を採用した場合、開閉機構の対するワイヤ等によるアクセスを行い難くすることができ、結果として不正行為を防止することができる。
【００４２】
以上、第１〜６実施形態によれば、ワイヤ等の異物の挿入による電子部品等に対する不正アクセスを防止するために、電子部品等に至る連続した空間からなる経路の内部又はその経路に隣接する位置に、１個又は複数個の磁石が設置されているため、異物を経路に挿入して操作し難くすることができる。これにより、不正行為に時間をかけさせるか又は失敗させることができ、店員の発見を促したり、不正行為者に諦めさせたりすることができる。
【００４３】
第１〜６実施形態では、パチスロ遊技装置を例に挙げて説明したが、本発明の遊技機としては、この例に限定されず、スロットマシン、パチンコ遊技装置、アーケードゲーム機等を挙げることができる。
【００４４】
本発明において、磁石若しくは電子部品の周辺、又は、磁石と電子部品との間に、防磁部材（例えば防磁シート）を配置することが望ましい。磁力の影響が電磁部品に及ぶことを防止することができるからである。このような防磁部材としては、特に限定されるものではなく、従来公知のものを採用することができる。
【００４５】
また、本発明において、磁石は、上記経路内に設置されてもよく、上記経路に接するように設けられていてもよい。なお、本発明においては、本体の内部とは、パチンコ遊技装置における本体の裏面側を含む概念である。
【００４６】
以上、本発明の実施形態を説明したが、具体例を例示したに過ぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００４７】
【図１】第１実施形態に係るパチスロ遊技装置を模式的に示す斜視図である。
【図２】第２実施形態に係るパチスロ遊技装置におけるコイン払出経路を模式的に示す斜視図である。
【図３】第３実施形態に係るパチスロ遊技装置におけるコイン払出経路を模式的に示す斜視図である。
【図４】第４実施形態に係るパチスロ遊技装置が備える電源装置を模式的に示す斜視図である。
【図５】第５実施形態に係るパチスロ遊技装置が備える電源装置を模式的に示す斜視図である。
【図６】第６実施形態に係るパチスロ遊技装置の開閉部分の近傍を模式的に示す側面図である。
【符号の説明】
【００４８】
１  パチスロ遊技装置
１０  本体
１１、１２  両側枠体
１３  底枠板
１４  上枠板
１５  背面板
１６、７０、７１、８０、１０１、１１０  磁石
２０  回胴回転装置
２１  回胴体
２３、１００  コイン払出装置
２４  制御基板ボックス
３０  扉体
３１  表示窓
３２  表示装置
３８  開閉機構（掛止片）
６０  電源装置
１０２  検出片
１０３  連絡口
１０４  連絡路
１０６  コイン払出口
１０７  流下路
【図１】
2009005913.tif 000003
【図２】
2009005913.tif 000004
【図３】
2009005913.tif 000005
【図４】
2009005913.tif 000006
【図５】
2009005913.tif 000007
【図６】
2009005913.tif 000008